(57)【特許請求の範囲】
【請求項１】
スクイズ性を有する容器本体の口筒部に密に組付く組付き筒の上端に、内鍔状の頂壁を介して前後に偏平な起立筒を立設し、該起立筒の上端に設けた頂板に、内溶液を導出する注出路を設け、かつ一方端面を弧状に形成すると共に他方端面に欠け部を設けた櫛歯片を、互い違いに千鳥状に起立配置したベース板を組み付けるものにおいて、
前記頂板には、梳き方向前後端に薄肉の端部屈曲部を設けるとともに中央に中央屈曲部を設けたＶ字形に屈曲可能な一対の取付部を形成し、この一対の取付部上に、複数の櫛歯片及び中央部分の櫛歯片を等間隔で直列に起立配設した一対のベース板を組み付けるものであって、前記櫛歯片及び中央部分の櫛歯片の上部には、前記一対の取付部をＶ字形に屈曲させた時垂直姿勢になる直線体を突設し、前記一対のベース板の下面には中央部分の櫛歯片に対応して嵌着筒片を立設し、前記一対の取付部には該嵌着筒片を挿着する孔を起立筒の中空部に連通するように設け、かつ該中央櫛歯片の上部左右方向に注出孔を設けるとともに、該注出孔から嵌着筒片まで注出路を貫設し、前記頂板の左右端部にはそれぞれ前記両ベース板を固定する係止片を設け、さらに、前記頂板の左右側端部には上部に直線体を垂直に起立した枠櫛歯片を起立したことを特徴とする櫛付きキャップ。
【発明の詳細な説明】
【０００１】
【発明の属する技術分野】
本発明は、容器本体に収納された白髪染め液やヘアマニキュア等の内容液を、容器本体から頭髪に直接塗布すべく構成した櫛付きキャップに関するものである。
【０００２】
【従来の技術】
スクイズ性を有する容器本体にキャップとして組付けられ、容器本体の白髪染め液やヘアマニキュア等の内容液を直接頭髪に塗布することができる様にした櫛付きキャップとして、実開平１−１５８７２９号公報に記載のものがある。
この従来技術は、キャップ本体に、容器本体の軸心に直交する方向に沿って起立した複数の櫛歯片を、直列に一列に配置し、この櫛歯片内に、上端を注出口として櫛歯片間に開口すると共に、下端を、中空部および貫通流路を介して容器本体内に連通させた注出路を形成し、各櫛歯片の前記注出口よりも先端側に、櫛歯片間に突出する略半円形状の瘤部を設けて構成されている。そして、使用時において、注出口から注出された内容液をこの瘤部で堰き止めて櫛歯片の先端へ流れることを防止し、もって内容液が頭皮に直接付着して皮膚炎を起こす等の問題の発生を防止したものである。
【０００３】
【発明が解決しようとする課題】
しかしながら、上記した従来技術にあっては、瘤部が略半円形に形成されていて、梳かれた頭髪はこの瘤部間を通過し易くなっているため、頭髪を各櫛歯片間で長く保持して、内容液を頭髪に十分にかつ効率良く塗布することが難しい、と云う問題があった。
そこで、本発明は、上記した従来技術における問題点に鑑み創案されたもので、各櫛歯片間における頭髪の保持性を向上させることを技術的課題とし、頭髪に対する内容液の塗布が十分にかつ効率良く行なわれることが可能な櫛付きキャップの提供を目的としている。
【０００４】
【課題を解決するための手段】
上記技術的課題を解決する本発明の手段として、請求項１の発明に係る櫛付きキャップは、
スクイズ性を有する容器本体の口筒部に密に組付く組付き筒の上端に、内鍔状の頂壁を介して前後に偏平な起立筒を立設し、該起立筒の上端に設けた頂板に、内溶液を導出する注出路を設け、かつ一方端面を弧状に形成すると共に他方端面に欠け部を設けた櫛歯片を、互い違いに千鳥状に起立配置したベース板を組み付けるものにおいて、
前記頂板には、梳き方向前後端に薄肉の端部屈曲部を設けるとともに中央に中央屈曲部を設けたＶ字形に屈曲可能な一対の取付部を形成し、この一対の取付部上に、複数の櫛歯片及び中央部分の櫛歯片を等間隔で直列に起立配設した一対のベース板を組み付けるものであって、前記櫛歯片及び中央部分の櫛歯片の上部には、前記一対の取付部をＶ字形に屈曲させた時垂直姿勢になる直線体を突設し、前記一対のベース板の下面には中央部分の櫛歯片に対応して嵌着筒片を立設し、前記一対の取付部には該嵌着筒片を挿着する孔を起立筒の中空部に連通するように設け、かつ該中央櫛歯片の上部左右方向に注出孔を設けるとともに、該注出孔から嵌着筒片まで注出路を貫設し、前記頂板の左右端部にはそれぞれ前記両ベース板を固定する係止片を設け、さらに、前記頂板の左右側端部には上部に直線体を垂直に起立した枠櫛歯片を起立したことを特徴としている。
【０００５】
【作用】
図５のように、一対のベース板の嵌着筒片を取付部の孔に挿着して取付部に、一対のベース板を取り付ける。その後図２のように直線体が一直線状に直列に配列させるべく取付部の中央屈曲部を押圧し、同時に端部屈曲部を曲設させて一対の取付部をＶ字状に屈曲させる。
一方ベース板の櫛歯片間に他方ベース板の櫛歯片が順に互い違いに千鳥足状に配設されているため、頭髪梳き時の櫛付きキャップと頭髪との間の接触抵抗を増大させて頭髪の保持能力を維持し、注出孔から注出される内溶液の良好な保持能力を維持したまま、内溶液を頭髪に確実に塗布できることになる。
【０００６】
【発明の実施の形態】
本発明の実施態様を図１〜図５により説明する。
本発明の櫛付きキャップ１は、スクイズ性を有する胴部４を備えた容器本体２の口筒部3に密に組付く組付き筒５を下部に有するものであり、該組付き筒５の上端に内鍔状の頂壁６を介して前後に偏平な起立筒７が立設されている。
頂壁６の下面には、容器本体２の口筒部３に密嵌入する短円筒状のシール筒片５ａが設けられ、容器本体２の口筒部３に対する組み付きを液密に達成させている。
また、起立筒7上端に設けた頂板８は、一対のベース板14 a、14cを強固かつ安定して組み付け保持するに充分な強度を発揮する肉厚で形成されており、上面を平坦面とした平板状に形成し、該頂板８の上面の梳き方向前後端には、薄肉の端部屈曲部１０を設けるとともに該端部屈曲部１０を介して中央に中央屈曲部１１を設けてＶ字形に屈曲可能な一対の取付部２３が形成されている。
【０００７】
前記一対の取付部２３の上面には、複数の櫛歯片14、14bを起立配設した一対のベース板14 a、14 cが取り付けて櫛歯体１２を形成した構造とされていて、この一対のベース板14 a、14 cの上面には、前後方向一方端面を弧状に形成すると共に他方端面に欠け部２２設け、かつその上部には、 図２のように、一対の取付部２３をＶ字形に屈曲させた時垂直姿勢になる直線体１５を突設した複数の櫛歯片１４及び中央櫛歯片１４ｂが等間隔で順に起立配設されている。
【０００８】
また、一対のベース板14 a、14 cの下面は取付部２３への組み付けを安定にするため平坦面に形成し、又前記中央部分の櫛歯片14bに対応してこの下面には嵌着筒片１８を立設し、該中央部分の櫛歯片14bの上部には左右方向に注出孔１６を設けると共に、該注出孔１６から嵌着筒片１８まで注出路１７が貫設されている。
【０００９】
更に、前記一対の取付部２３には、一方ベース板14 aの櫛歯片14、14b間に他方ベース板14cの櫛歯片14、14bが順に互い違いに千鳥足状に位置をずらして配置可能に一対の取付部２３の端部である頂板８の左右端部にそれぞれ前記両ベース板14 a、14 cを固定する係止片２１を設けると共に、前記一対の取付部２３の所定位置には嵌着筒片１８を挿着する孔２０が起立筒７の中空部９に連通するように設けられ、該孔２０に対応する取付部２３の下面には嵌着筒片１８を安定して保持するために保持筒片１９が設けられている。
【００１０】
また、前記頂板８の左右側端部には、他の物品との接触から保護する目的で、枠櫛歯片１３が頂板８の短手辺幅で起立配設され、該枠櫛歯片１３の上部には上記櫛歯片１４の上部に設けたと同様に直線体１５が垂直に起立配設されている。
前記該枠櫛歯片１３の左右の両外側面は、頭髪との引っ掛かりを生じないように円滑面に形成され、この円滑面は櫛歯片1４、14ａ、起立筒７部分にも及んでいている。
【００１１】
【発明の効果】
上述した構成の本発明によれば、以下の効果を奏する。
（１）１対の取付部に１対のベース板を載置して該１対のベース板をV字状に屈曲すると、中央櫛歯片に設けた注出路の注出孔が略中央に位置し、嵌着筒片は中空部内の中心より離れた位置にして傾斜状態となり、隣り合う中央櫛歯片の注出路はV字状形態に配置されているため、頭髪梳き時の櫛付きキャップと頭髪との間の接触抵抗を増大させて頭髪の保持能力を維持し、注出孔から注出される内溶液の良好な保持能力を維持したまま、内溶液を頭髪に確実にかつ均一に塗布できる。
（２）頂板に形成したＶ字形に屈曲される一対の取付部に直列に櫛歯片を起立配設した一対のベース板を取り付けて組み立てられるので製作が容易である。また、
ベース板の櫛歯片が破損しても新規のものと容易に交換可能な構造に形成されている。
【図面の簡単な説明】
【図１】 本発明の実施例で、容器本体に組付けた状態での櫛付きキャップの全体斜視図。
【図２】 櫛付きキャップのＡ―Ａ断面図と容器本体の正面図である。
【図３】 容器本体に組付けた状態での櫛付きキャップの平面図。
【図４】 分解斜視図。
【図５】 取付部をV字形に屈曲させる前の中央縦断面図と容器本体の正面図である。
【符号の説明】
１    櫛付きキャップ
２    容器本体
３    口筒部
４    胴部
５    組付き筒
５ａ  シール筒片
６    頂壁
７    起立筒
８    頂板
９    中空部
１０    端部屈曲部
１１    中央屈曲部
１２    櫛歯体
１３    枠櫛歯片
１４    櫛歯片
１４ａ  一方ベース板
１４Ｃ  他方ベース板
１４ｂ  櫛歯片（中央部分の）
１５    直線体
１６    注出孔
１７    注出路
１８  嵌着筒片
１９  保持筒片
２０  孔
２１  係止片
２２  欠け部
２３  取付部
【図１】
0003872300.tif 000002
【図２】
0003872300.tif 000003
【図３】
0003872300.tif 000004
【図４】
0003872300.tif 000005
【図５】
0003872300.tif 000006